(57)【要約】【課題】容易に搬送可能であり、更に容易かつ確実に組立可能であり、加えて組立後のそれが十分強固な鳥居の組立キットを提供する。【解決手段】地面Ｇに所定間隔で穿設した埋設穴ｈ、ｈに軸心を一致させて配する一対の土台パイプ１、１と、その土台パイプ１、１を貫通して埋設穴ｈ、ｈに下部を装入する一対の支柱部材２、２と、それらの貫通取付穴２１、２１に貫通させて取り付ける貫部材３と、支柱部材２、２の上端に固定する笠木部材４と、笠木部材４と貫部材３との中央部間に取り付けて該笠木部材４と貫部材３とを連結する額部材５とで構成する。貫部材３は、楔部材３１を貫通取付穴２１、２１に差し込むことで、支柱部材２、２への取り付け状態が固定される。笠木部材４は、嵌合穴４１、４１に支柱部材２、２の上端が嵌合され、固定部材４４、４４を用いて強固に支柱部材２、２に固定される。【選択図】図１
0003226415.tif 000002
【実用新案登録請求の範囲】
【請求項１】
支柱部材下部の埋設用として地上に所定間隔で穿設した埋設穴に軸芯を一致させて配する一対の土台パイプと、
前記土台パイプを貫通させて前記埋設穴に下部を埋設するパイプ製の一対の支柱部材であって、その上部途中に貫部材を貫通支持するための横向きの貫通取付穴を開口した一対の支柱部材と、
前記一対の支柱部材の貫通取付穴に横向きに挿入すると共に、楔部材でその挿入状態を固定する貫部材と、
前記一対の支柱部材の上端をその下部に嵌合して固定する笠木部材であって、その下部に該支柱部材の上端を嵌合するための一対の嵌合穴を開口した笠木部材と、
前記笠木部材の中央部と前記貫部材の中央部とに取り付けて、前記笠木部材と前記貫部材とを連結するための額部材と、
前記笠木部材と前記一対の支柱部材を固定するための固定部材と、
で構成し、かつ前記土台パイプ、前記一対の支柱部材、前記貫部材及び前記笠木部材を塩化ビニールで構成した鳥居の組立キット。
【考案の詳細な説明】
【技術分野】
【０００１】
本考案は、神社の入口や遙拝所等で神域との境界を示す趣旨で設置される鳥居を組み立てるための鳥居の組立キットに関するものである。
【背景技術】
【０００２】
鳥居は、基本的に、適当な間隔で設置される一対の柱の上部に笠木を配し、かつそのすぐ下方にこれと概ね平行に貫を設けたものであり、松や杉等の木材や石材又は鉄等で構成されているものが多い。
【０００３】
上記の内、木材で構成された鳥居は、その表面の塗装や防腐剤の含浸等の種々の処置を施しても早期に腐敗するとか、シロアリの被害を受けやすい等の問題があり、長期の使用に耐えない。また木材の加工にも高い技術が必要であり、なかなか適当な職人が得られるものではなく、更には、構成された鳥居の重量が重く、重機を使用しなければ、運搬の際の取り扱いや現場での立ち上げが困難である。またそれ自体がかなり大きくなるので、組み立てたものを小さなトラック等では運搬できない問題もある。
【０００４】
また石材で構成されるものは、木材のような腐敗やシロアリの被害の問題はなく、長期に使用される利点はあるが、非常に高価であり、また重量が更に重いためその運搬や設置に重機が必要であるのは云うまでもなく、設置が簡単にできるものではない。
【０００５】
鉄で構成されているものは、その加工が簡単ではなく、高価であり、また錆の問題があるため防錆塗装が重要であるが、これが剥がれて錆が発生しやすく、その結果、表面が凸凹になりやすい問題がある。これを修正しながら塗装を繰り返したとしても、結局それほど長い寿命は確保できない。また前記石材ほどではないが、重量が重いため、その取り扱いに重機が必要であり、かつそれ自体が大きなものとなるため組み立てたものを小さなトラック等では運搬できないのは、木材による例と同様である。
【０００６】
特許文献１は、以上のような従来技術の問題点を解決する趣旨の鳥居を提案するものであり、これは、塩化ビニール製のパイプ材で各々が上部支分柱及び下部支分柱からなる一対の柱を構成し、上記一対の柱の各上部支分柱の上端に塩化ビニール製のパイプ材で構成した笠木を横向きに配し、かつ該笠木の下方で該一対の柱の各上部支分柱を連結すべく塩化ビニール製のパイプ材で構成した貫を横向きに配し、更に該一対の柱において、各々その上部支分柱と下部支分柱とを、前者の下端と後者の上端とにその上下を挿入した塩化ビニール製の連結パイプを介して連結した鳥居である。
【０００７】
特許文献１の鳥居によれば、その殆どの構成が、塩化ビニール製のパイプ材で構成されたものであるため、腐敗や錆又はシロアリによる被害等の問題がなく、設置後長期にわたって使用が可能であり、かつその製造が簡単であるとともに、軽量であり、加えて適当なサイズに分解して搬送可能であるため、設置場所までの運搬が小型のトラック等でも可能である利点がある。
【０００８】
特許文献２の考案は、特許文献１の鳥居を改良したものであり、鳥居を構成要素に分解し、容易に組立可能な鳥居の組立キットである。特許文献２の鳥居の組立キットによれば、容易に搬送可能であり、更に技術者でなくても、特別の器具・機械を用いることなく容易かつ確実に組立可能であり、組立後の鳥居が強固に構築できるという利点がある。
【先行技術文献】
【特許文献】
【０００９】
【特許文献１】実用新案登録第３０６７７０３号公報
【特許文献２】実用新案登録第３１６０１０９号公報
【考案の概要】
【考案が解決しようとする課題】
【００１０】
本考案は、上記の特許文献２の鳥居の組立キットを更に改良したものである。上記の鳥居の組立キットは、強固に構築できるように工夫されているが、上部の笠木部材が支柱部材に嵌られて結合した後に、支柱部材に強固に結合される固定手段を有していなかった。今のところ問題は生じていないが、近年、地震や津波、台風などの激甚な自然災害がしばしば発生していることを鑑みると、予測のできない強風等により、笠木部材が支柱部材から抜ける可能性も考えられる。そのため、笠木部材が支柱部材から抜けるのを防止するための抜け防止の手段として、笠木部材を支柱部材に強固に結合する固定部材を有することが望ましい。
【００１１】
本考案は、上記課題に鑑み、鳥居を適切な構成要素に分解し、容易に搬送可能であり、特別の器具・機械を用いることなく容易かつ確実に組立可能であり、加えて組立後のそれが強風等にも耐え得るように十分強固に構築できる鳥居の組立キットを提供することを目的とする。
【課題を解決するための手段】
【００１２】
本考案は、支柱部材下部の埋設用として地上に所定間隔で穿設した埋設穴に軸芯を一致させて配する一対の土台パイプと、
前記土台パイプを貫通させて前記埋設穴に下部を埋設するパイプ製の一対の支柱部材であって、その上部途中に貫部材を貫通支持するための横向きの貫通取付穴を開口した一対の支柱部材と、
前記一対の支柱部材の貫通取付穴に横向きに挿入すると共に、楔部材でその挿入状態を固定する貫部材と、
前記一対の支柱部材の上端をその下部に嵌合して固定する笠木部材であって、その下部に該支柱部材の上端を嵌合するための一対の嵌合穴を開口した笠木部材と、
前記笠木部材の中央部と前記貫部材の中央部とに取り付けて、前記笠木部材と前記貫部材とを連結するための額部材と、
前記笠木部材と前記一対の支柱部材を固定するための固定部材と、
で構成し、かつ前記土台パイプ、前記一対の支柱部材、前記貫部材及び前記笠木部材を塩化ビニールで構成した鳥居の組立キットである。
【考案の効果】
【００１３】
したがって本考案の鳥居の組立キットによれば、鳥居がキットとなっており、これを構成する複数の部材に分解されており、かつその各部材が基本的に塩化ビニール製であって軽量であるため、これを、例えば、比較的小型のトラック等に積んで設置する場所まで移動することが可能であり、またその際に、その積み卸しを、特に重機等を用いることなく、人手によって容易に可能であり、かつ荷台への載置も不都合なく行える利点がある。また要設置位置への移動後は、技術者でなくても、特別な器具・機械を用いることなく、簡単な組立作業でその組立設置も容易に行うことができる。電源も不要である。
【００１４】
本考案の鳥居の組立キットは、組立設置後は、その殆どが、塩化ビニール製であるため、シロアリの被害、錆の発生あるいは腐敗の発生の問題等がないため、非常に長寿命である。また自由な色に塗装することが可能であり、塗装の剥離も容易に生じない。たとえ、変色し、あるいは何らかの事情により塗装面に傷がついても再塗装は簡単である。鳥居の表面が、たとえ、汚れても、拭き取りその他の洗浄によって容易にその除去ができるものでもある。
【００１５】
前記のように、その組立も簡単に行いうるものである。まず要設置領域の所定の場所に一対の支柱部材の立設間隔に対応する間隔で二つの埋設穴を掘削し、それらの埋設穴の各々を囲むようにその周囲の地上に該埋設穴に軸心を一致させて前記土台パイプを配置し、その後、各々の埋設穴に一対の支柱部材の各々の下部を装入して立ち上げる。
【００１６】
次いで、該一対の支柱部材の一方の支柱部材の貫通取付穴に外側開口部から貫部材を挿入貫通させ、他方の支柱部材まで押し込み、該貫部材の先端を、更に該他方の支柱部材の貫通取付穴に内側開口部から挿入し、貫通させる。この後、該貫部材の両支柱部材の外側に突出する部分の長さを一致するように調整した上で、その状態を楔部材で固定する。楔部材は、貫部材の上側で、両支柱部材の両側から該貫通取付穴に押し込み、各々の後端に配してある固定鍔のビス穴を利用してその上から貫部材にビスをねじ込んで、楔部材のその状態を固定する。こうして、貫部材の支柱部材への取付状態を固定する。
【００１７】
更にこの後、笠木部材を両支柱部材の上端に取り付ける。笠木部材は、これを、上記一対の支柱部材の上端上に引き上げ、その下部に開口してある一対の嵌合穴を該一対の支柱部材に一致させ、前者に後者の上端を嵌合させることで結合する。このような、笠木部材の支柱部材上端への結合状態は、この後、額部材の背面側上部を、結合部材を介して、笠木部材の前面中央下部に結合し、更に該額部材の下部を他の結合部材を介して貫部材の中央上部に結合することで、固定する。また、笠木部材と両支柱部材の結合をより強固にするため、両支柱部材が嵌った部分の笠木部材の前面及び又は後面の目立たない位置にビスやボルト等の固定部材を用いて、笠木部材と両支柱部材を強固に固定する。
【００１８】
この後、前記両埋設穴と両支柱部材との間の隙間を埋め戻し、更に前記両土台パイプと前記両支柱部材との間にコンクリートを打設する。又必要な部位に塗装を施す。こうして、この鳥居の組立キットによる、鳥居の設置組立は完了である。
【００１９】
なお、以上の鳥居の組立手順は、一例であり、これと異なる順序で組立設置することも当然可能であり、都合により種々の手順で組み立てることが可能である。いずれにしても以上のように簡単に鳥居の組立ができる。こうして外観的にも優れ、かつ強度も充分な鳥居を設置することができる。
【図面の簡単な説明】
【００２０】
【図１】実施例の鳥居のキットで設置した鳥居の正面図。
【図２】(a)は実施例の鳥居の組立キットで設置した鳥居の側面図、(b)は正面図の中央部で断面した縦断面図。
【図３】図２(b)のＡ部の拡大図。
【図４】実施例の鳥居の組立キットの各部材を示す正面図。
【図５】設置位置に土台パイプ及び支柱部材を設置した状態を示す正面図。
【図６】設置位置に土台パイプ及び支柱部材を設置し、該支柱部材に貫を配した状態を示す正面図。
【図７】設置位置に土台パイプ及び支柱部材を設置し、該支柱部材に貫及び笠木部材を配した状態を示す正面図。
【考案を実施するための形態】
【００２１】
以下、考案を実施するための形態を実施例に基づき、添付図を参照しつつ詳細に説明する。
【００２２】
この実施例の鳥居の組立キットは、図１、図２及び図４等に示すように、基本的に、地面Ｇに所定間隔で穿設した埋設穴ｈ、ｈに軸心を一致させて配する一対の土台パイプ１、１と、該土台パイプ１、１を貫通して前記埋設穴ｈ、ｈに下部を装入する一対の支柱部材２、２と、該一対の支柱部材２、２の上部途中に取り付ける貫部材３と、該一対の支柱部材２、２の上端に固定する笠木部材４と、該笠木部材４と該貫部材３との中央部間に取り付けて、該笠木部材４と貫部材３とを連結する額部材５とで構成したものである。
【００２３】
前記土台パイプ１は、前記埋設穴ｈに装入した支柱部材２の下部に外装状態に配する該支柱部材２より大径で短寸の円筒体であり、後述するように、該土台パイプ１と支柱部材２との間に及び前記埋設穴ｈと支柱部材２との間にモルタル又はコンクリートを充填して固設し、安定した状態に保持するものであり、既存の鳥居における石材等の土台又は基礎に代わる構成を作成するための部材である。該土台パイプ１それ自体は、塩化ビニールのパイプで作成したものである。
【００２４】
前記支柱部材２は、文字通り、鳥居の一対の支柱を構成する部材であり、一般の鳥居の支柱と同様の径を持った円筒体である。また該支柱部材２の上部途中には、図１及び図４に示すように、前記貫部材３を横向きに貫通させる貫通取付穴２１が開口してある。該貫通取付穴２１は、縦長の直方体状の開口部であり、該貫通取付穴２１の開口してある部位の支持支柱２における高さは、云うまでもなく、前記貫部材３を取り付けるべき高さに一致させてある。またこの支柱部材２の最上部は、前記笠木部材４の下部の嵌合穴４１に装入嵌合させるようになっている。該支柱部材２それ自体は、塩化ビニールのパイプで作成したものである。
【００２５】
前記貫部材３は、図１、図２及び図４に示すように、断面直方体状のパイプ体で、所定の間隔で配した前記一対の支柱部材２、２の貫通取付穴２１、２１に貫通状態に取り付けうるサイズに構成したものである。云うまでもなく、この貫部材３の両端は閉じてある。この貫部材３は塩化ビニールで作成したものである。
【００２６】
この貫部材３には、図１、図４、図６及び図７に示すように、四個の楔部材３１、３１…が付設してある。この楔部材３１は、同図に示すように、平坦な下面と、先端から後端に向かって上向き傾斜する斜面と、後端の直立面とを有する三角形を基本とする部材で、更に後端に平坦な下面から延長する状態に固定鍔３２を突出させてある。該固定鍔３２は、そのほぼ中央に上下貫通する、図示しないビス穴が開口してある。
【００２７】
前記楔部材３１は、一対の支柱部材２、２の貫通取付穴２１、２１に挿入し、正しい位置決めをした貫部材３のその状態を固定するために使用する部材であり、図６〜図７に示
すように、該支柱部材２、２の左右両側かつ該貫部材３の上方で該貫通取付穴２１、２１にその先端側から差し込んで、貫部材３、３をその状態に固定するものであり、前記楔部材３１、３１…のその状態は、各々の後端に配した前記固定鍔３２、３２…のビス穴を利用してその上方から貫部材３、３にビスをねじ込んで固定するものである。なお、この楔部材３１も塩化ビニールで作成したものである。
【００２８】
前記笠木部材４は、図１〜図４及び図７に示すように、断面横長直方体状の下部角形筒体４２と、その上の上方が山型になり両端に向かって若干上向き傾斜する上部形状を有する上部角形筒体４３とで構成したものであり、下部角形筒体４２及び上部角形筒体４３のいずれも両端は閉じてある。またいずれも塩化ビニールで作成したもので、両者は接着剤で接合固定してある。
【００２９】
また該笠木部材４には、図１、図４及び図７に示すように、その下部に前記一対の支柱部材２、２の設置間隔でその上部を嵌合する嵌合穴４１、４１が下向き開口状態に開口してある。
【００３０】
前記額部材５は、図１〜図４に示すように、額部材本体５１と、その背面上部に固設した板状の上部連結片５２と、背面下部に固設した側面視Ｌ型の下部連結片５３とで構成したものである。該額部材本体５１は、一般のそれと同様であり、その背面板及び前面縁部を木材で作成し、内部に挿入した板材に神社の名称等の文字を記入したものである。前記上部連結片５２は、塩化ビニール製の板材で、該額部材本体５１の背面に接着固定したもので、その上部には、図示しない表裏貫通するビス穴が開口してある。前記下部連結片５３は、前記のように、側面視Ｌ型の塩化ビニール製の板状部材であるが、その上部側を額部材本体５１の背面下部に接着固定してあり、下部側には図示しない表裏貫通するビス穴が開口してある。
【００３１】
各部材は、所定の色、例えば、赤等に塗装して着色しておくものとする。
【００３２】
したがって、この実施例の鳥居の組立キットによれば、以上のように、鳥居が組立キットを構成する複数の部材によって組み立てられるようになっており、構成部材の殆どが比較的小型の塩化ビニール製の部材である。それ故、各部材が小型軽量であるため、比較的小型のトラック等に積んで設置する場所まで運搬することが可能であり、またその際に、その積み卸しを、特に重機等を用いることなく、人手によって容易に行い得るものであり、かつ荷台への載置も不都合なく行える利点がある。また要設置位置への移動後は、特別な用具を用いることなく、簡単な組立作業でその組立設置を容易に行うことができる。
【００３３】
所定の設置領域に運んだ後は、以下のように簡単にその組立設置作業を行うことができる。その組立手順には、若干の異なる例があるが、その一例を説明する。以下のようにして概ね能率良く組立設置することができる。なお、他の手順で行うことも自由である。
【００３４】
まず要設置領域の所定の場所の地面Ｇに、図１、図２及び図５〜図７に示すように、一対の支柱部材２、２の立設間隔に対応する間隔で二つの埋設穴ｈ、ｈを掘削する。鳥居の大きさにもよるが、該埋設穴ｈ、ｈの深さは６００ｍｍ程度、径は該支柱部材２、２の径を若干越える程度とする。
【００３５】
その後、図５に示すように、該埋設穴ｈ、ｈの各々を囲むように、その周囲の地面Ｇ上に、該埋設穴ｈ、ｈに軸心を一致させて、前記土台パイプ１、１を配置し、次いで、同図に示すように、各々の埋設穴ｈ、ｈに一対の支柱部材２、２の各々の下部を装入して立ち上げる。当然、該支柱部材２、２は、同時に、該埋設穴ｈ、ｈの直上で、該土台パイプ１、１にも装入することになる。
【００３６】
その後、該一対の支柱部材２、２の一方の支柱部材２の貫通取付穴２１にその外側開口部（右側の支柱部材２のそれから挿入する場合は右側の開口部、左側の支柱部材２のそれから挿入する場合は左側の開口部）から前記貫部材３を挿入貫通させ、他方の支柱部材２まで押し込み、図６に示すように、該貫部材３の先端を、更に該他方の支柱部材２の貫通取付穴２１に内側開口部（右側の支柱部材２のそれに挿入する場合は左側の開口部、左側の支柱部材２のそれに挿入する場合は右側の開口部）から挿入し、貫通させる。
【００３７】
次いで、図７に示すように、前記笠木部材４を両支柱部材２、２の上端に取り付ける。笠木部材４は、これを、上記一対の支柱部材２、２の上端上に引き上げ、その下部に開口してある一対の嵌合穴４１、４１の軸心を該一対の支柱部材２、２の軸心に一致させた上で、下降させることで、その嵌合穴４１、４１に該一対の支柱部材２、２の各上端を嵌合させ、該一対の支柱部材２、２の上端に結合する。
【００３８】
この後、鳥居の水平を、貫部材３の地面Ｇに対する平行度を調整することで確保し、更に鳥居のバランスを四囲から観察して調整する。また該貫部材３は、その両支柱部材２、２の外側に突出する部分の長さを左右のそれが一致する長さとなるように調整する。その上で、その状態を楔部材３１、３１…で固定する。楔部材３１、３１…は、図７に示すように、その先端側を、貫部材３の上側で、両支柱部材２、２の両側から前記貫通取付穴２１、２１の上縁に押し込み、それによって貫部材３のその取付状態を固定する。楔部材３１、３１…は、その固定鍔３２、３２…に開口してあるビス穴を通じてその上から貫部材３にビスをねじ込むことで固定する。こうして、貫部材３の支柱部材２、２への取付状態を調整状態で固定する。
【００３９】
この後、以上の調整完了状態の支柱部材２、２を、これらと前記両埋設穴ｈ、ｈとの間の隙間を埋め戻して固定し、更に前記両土台パイプ１、１と前記支柱部材２、２との間の隙間にコンクリートを打設して固定する。またこの実施例では、支柱部材２、２の土台パイプ１、１の上端から２００ｍｍ以上の上部の部分にマスキングテープを施した上で、支柱部材２、２のそれより下方の部分及び土台パイプ１、１をペンキで黒色に塗装した。
【００４０】
更にその後、笠木部材４と貫部材３とをその間に額部材５を結合することにより結合固定する。図２(a)、(b)及び図３に示すように、額部材５の上部を笠木部材４の上部角形筒体４３の中央部前面付近に位置決めし、かつ該額部材５の下部を貫部材３の中央上部前面付近に位置決めした上で、該額部材５を、その背面上部の上部連結片５２で笠木部材４の上部角形筒体４３の中央前面に連結し、かつ背面下部の下部連結片５３で貫部材３の中央上部に連結する。上部連結片５２と笠木部材４の上部角形筒体４３との連結は、図２(b)及び図３に示すように、該上部連結片５２に開口したビス穴を通じてビスを該上部角形筒体４３にねじ込んで行い、下部連結片５３と貫部材３との連結は、該下部連結片５３の下部側を該貫部材３の上面上に当接させ、該下部連結片５３の下部側に開口したビス穴を通じて該貫部材３にビスをねじ込むことで行う。こうして、笠木部材４の支柱部材２、２との結合状態の固定と額部材５の取り付けとが同時に行われることになる。
【００４１】
また、笠木部材４と支柱部材２、２の結合をより強固にするため、支柱部材２、２が嵌った部分の笠木部材４の前面及び又は後面の目立たない位置にビスやボルト等の固定部材４４を用いて、笠木部材４と支柱部材２、２を固定する。本実施例では、笠木部材４の前面及び後面の４箇所に固定部材４４を用いて、笠木部材４と支柱部材２、２を固定するが、笠木部材４の前面のみ２箇所、又は後面のみ２箇所を固定してもよい。比較的小さな鳥居の場合には、固定部材４４としてビスを使用できる。図１、図２及図７に示すように、そのビス（固定部材４４）を笠木部材４の前面及び後面の目立たない位置（４箇所）にねじ込むことで笠木部材４と支柱部材２、２を簡単にかつ強固に固定できる。比較的大きな鳥居の場合には、固定部材４４としてボルトを使用できる。なお、固定部材４４としては、ビスとボルトに限らず、いかなる固定部材を使用してもよいが、外観的に目立たない位置で固定することが好ましい。さらに、固定部材４４を笠木部材４と同じ色に塗布等することが好ましい。それにより、笠木部材４と支柱部材２、２を強固に固定することに加え、外観上の美観がよい鳥居を提供できる。
【００４２】
こうして、この鳥居の組立キットによる、鳥居の設置組立は完了である。なお、前記したように、この実施例の鳥居の組立キットによる以上の鳥居の組立手順は一例であり、これと異なる順序で組立設置することも当然可能であり、都合により種々の手順で組み立てることが可能である。いずれにしても以上のように簡単に鳥居の組立ができる。こうして外観的にも優れ、かつ強度も充分な鳥居を設置することができる。
【００４３】
このようにして組み立てられた鳥居は、それ構成する部材の殆どが、塩化ビニール製であるため、シロアリの被害や錆の発生、あるいは腐敗の発生の問題等がないため、非常に長寿命である。また自由な色に塗装することが可能であり、塗装の剥離も容易に生じない。たとえ、変色し、あるいは何らかの事情により塗装面に傷がついても再塗装は簡単である。鳥居の表面が、たとえ、汚れても、拭き取りその他の洗浄によって容易にその除去ができるものでもある。
【００４４】
また非常に壊れにくく、万一壊れた場合も軽量で加工性がよいので、修理が容易である。また大地震などにより、万一、倒壊するようなことがあっても、大部分が軽量の塩化ビニール製のパイプ材によって構成したものであるため、危険性がない。
【産業上の利用可能性】
【００４５】
本発明は、塩化ビニールのパイプ体を用いた鳥居の組立キットの製造の分野で有用に使用することができる。
【符号の説明】
【００４６】
１    土台パイプ
２    支柱部材
２１  貫通取付穴
３    貫部材
３１  楔部材
３２  固定鍔
４    笠木部材
４１  嵌合穴
４２  下部角形筒体
４３  上部角形筒体
４４  固定部材
５    額部材
５１  額部材本体
５２  上部連結片
５３  下部連結片
Ｇ    地面
ｈ    埋設穴
【図１】
0003226415.tif 000003
【図２】
0003226415.tif 000004
【図３】
0003226415.tif 000005
【図４】
0003226415.tif 000006
【図５】
0003226415.tif 000007
【図６】
0003226415.tif 000008
【図７】
0003226415.tif 000009